(57)【要約】【課題】  測定する樹木の大きさに関わらず、マーキング手段が樹木に対して適切な位置に配置できる樹木径測定器を提供する。【解決手段】  樹木Ｘを挟むことにより樹木Ｘの径を測定すべく、接離可能な一対の挟み体１，２と、樹木Ｘにマーキングするためのマーキング手段３とを備える樹木径測定器において、マーキング手段３は、一対の挟み体１，２が接離する方向で、少なくとも一方の挟み体１，２に対して相対的に変位可能に構成されることを特徴とする。【選択図】  図１
2010243383.tif 000002
【特許請求の範囲】
【請求項１】
樹木を挟むことにより樹木の径を測定すべく、接離可能な一対の挟み体と、樹木にマーキングするためのマーキング手段とを備える樹木径測定器において、
マーキング手段は、一対の挟み体が接離する方向で、少なくとも一方の挟み体に対して相対的に変位可能に構成されることを特徴とする樹木径測定器。
【請求項２】
マーキング手段は、一対の挟み体が接離するのに伴い、少なくとも一方の挟み体に対して相対的に変位するように構成される請求項１に記載の樹木径測定器。
【請求項３】
一対の挟み体が接離する方向に沿って伸縮可能に配置される一対の弾性体を備え、
一方の弾性体は、一方の挟み体とマーキング手段とを接続し、他方の弾性体は、他方の挟み体とマーキング手段とを接続する請求項２に記載の樹木径測定器。
【請求項４】
一方の挟み体と一体的に形成される固定ラックと、各挟み体に対して相対的に変位可能な可動ラックと、他方の挟み体と一体的に形成され、一対の挟み体が接離するのに伴い、可動ラックを各挟み体に対して相対的に変位させるべく、各ラックと噛合する歯車機構とを備え、
マーキング手段は、可動ラックに連結される請求項２に記載の樹木径測定器。
【発明の詳細な説明】
【技術分野】
【０００１】
本発明は、樹木を挟むことにより樹木の径を測定すべく、接離可能な一対の挟み体と、樹木にマーキングするためのマーキング手段とを備える樹木径測定器に関する。
【背景技術】
【０００２】
従来、樹木（立ち木）の径（胸高直径）を測る樹木径測定器（「輪尺」ともいう）として、接離可能な一対の挟み体と、樹木にマーキングするためのマーキング手段とを備える樹木径測定器が知られている（例えば、特許文献１）。斯かる樹木径測定器は、一対の挟み体により樹木を挟んで樹木の径を測定すると共に、マーキング手段でその樹木をマーキングすることにより、樹木の径を測定する作業の効率を向上させることができる。
【先行技術文献】
【特許文献】
【０００３】
【特許文献１】特開２００８−２８６６２８号公報
【発明の概要】
【発明が解決しようとする課題】
【０００４】
しかしながら、斯かる樹木径測定器においては、マーキング手段が挟み体に固定されているため、測定する樹木の大きさによっては、マーキング手段が樹木に対して適切な位置に配置されてない場合があった。
【０００５】
よって、本発明は、かかる事情に鑑み、測定する樹木の大きさに関わらず、マーキング手段が樹木に対して適切な位置に配置できる樹木径測定器を提供することを課題とする。
【課題を解決するための手段】
【０００６】
本発明に係る樹木径測定器は、樹木を挟むことにより樹木の径を測定すべく、接離可能な一対の挟み体と、樹木にマーキングするためのマーキング手段とを備える樹木径測定器において、マーキング手段は、一対の挟み体が接離する方向で、少なくとも一方の挟み体に対して相対的に変位可能に構成されることを特徴とする。
【０００７】
本発明に係る樹木径測定器によれば、接離可能な一対の挟み体が樹木を挟むことにより樹木の径を測定できる。そして、樹木にマーキングするためのマーキング手段は、一対の挟み体が接離する方向において、少なくとも一方の挟み体に対して相対的に変位できる。これにより、測定する樹木に対応して、マーキング手段をフレキシブルに位置決めすることができる。
【０００８】
また、本発明に係る樹木径測定器においては、マーキング手段は、一対の挟み体が接離するのに伴い、少なくとも一方の挟み体に対して相対的に変位するように構成されてもよい。
【０００９】
斯かる構成の樹木径測定器によれば、一対の挟み体が接離するのに伴い、マーキング手段が少なくとも一方の挟み体に対して相対的に変位する。これにより、一対の挟み体を操作することにより、マーキング手段を個別に操作することなく、マーキング手段を変位させることができる。
【００１０】
また、本発明に係る樹木径測定器においては、一対の挟み体が接離する方向に沿って伸縮可能に配置される一対の弾性体を備え、一方の弾性体は、一方の挟み体とマーキング手段とを接続し、他方の弾性体は、他方の挟み体とマーキング手段とを接続してもよい。
【００１１】
斯かる構成の樹木径測定器によれば、一方の弾性体が一方の挟み体とマーキング手段とを接続すると共に、他方の弾性体が他方の挟み体とマーキング手段とを接続する。そして、一対の弾性体は、一対の挟み体が接離する方向に沿って伸縮可能に配置されるため、一対の挟み体が接離するのに伴い、マーキング手段が各挟み体に対して相対的に変位できると共に、マーキング手段が一対の挟み体の間で位置決めされる。
【００１２】
また、本発明に係る樹木径測定器においては、一方の挟み体と一体的に形成される固定ラックと、各挟み体に対して相対的に変位可能な可動ラックと、他方の挟み体と一体的に形成され、一対の挟み体が接離するのに伴い、可動ラックを各挟み体に対して相対的に変位させるべく、各ラックと噛合する歯車機構とを備え、マーキング手段は、可動ラックに連結されてもよい。
【００１３】
斯かる構成の樹木径測定器によれば、他方の挟み体と一体的に形成される歯車機構は、一方の挟み体と一体的に形成される固定ラックと噛合すると共に、各挟み体に対して相対的に変位可能な可動ラックと噛合する。これにより、一対の挟み体が接離するのに伴い、歯車機構が回転するため、可動ラックが各挟み体に対して相対的に変位する。したがって、可動ラックに連結されるマーキング手段は、一対の挟み体が接離するのに伴い、各挟み体に対して相対的に変位することができる。
【発明の効果】
【００１４】
以上の如く、本発明に係る樹木径測定器によれば、測定する樹木に対応して、マーキング手段をフレキシブルに位置決めすることができるため、測定する樹木の大きさに関わらず、マーキング手段が樹木に対して適切な位置に配置できるという優れた効果を奏する。
【図面の簡単な説明】
【００１５】
【図１】本発明の一実施形態に係る樹木径測定器の全体図であって、（ａ）は平面図、（ｂ）は正面図を示す。
【図２】同実施形態に係る樹木径測定器の要部概要図であって、図１（ａ）のＡ−Ａ線における断面図を示す。
【図３】同実施形態に係る樹木径測定器の要部概要図であって、図１（ａ）のＢ−Ｂ線における断面図を示す。
【図４】同実施形態に係る樹木径測定器におけるマーキング手段の移動状況を説明する要部概要図であって、（ａ）及び（ｂ）はそれぞれ平面図を示す。
【図５】同実施形態に係る樹木径測定器におけるマーキング手段の切り替え状況を説明する要部概要図であって、（ａ）は縦断面図、（ｂ）は平面図を示す。
【図６】本発明の他の実施形態に係る樹木径測定器の全体図であって、（ａ）は平面図、（ｂ）は正面図を示す。
【図７】同実施形態に係る樹木径測定器の要部概要図であって、（ａ）は図６（ｂ）のＧ−Ｇ線における断面図、（ｂ）はＪ領域の拡大図を示す。
【図８】同実施形態に係る樹木径測定器の要部概要図であって、図７のＨ−Ｈ線における断面図を示す。
【図９】同実施形態に係る樹木径測定器の要部概要図であって、図７のＩ−Ｉ線における断面図を示す。
【図１０】同実施形態に係る樹木径測定器におけるマーキング手段の移動状況を説明する要部概要図であって、（ａ）及び（ｂ）はそれぞれ平面図を示す。
【発明を実施するための形態】
【００１６】
以下、本発明に係る樹木径測定器における第１の実施形態について、図１〜図５を参酌して説明する。
【００１７】
本実施形態に係る樹木径測定器は、図１〜図３に示すように、樹木（立ち木）Ｘを挟むことにより樹木Ｘの径（胸高直径）を測定すべく、接離可能（所定方向で相対的に変位可能）な一対の長尺な挟み体１，２と、樹木Ｘにマーキングするためのマーキング手段３とを備える。なお、一方の挟み体１を第１挟み体１といい、他方の挟み体２を第２挟み体２という。
【００１８】
そして、樹木径測定器は、マーキング手段３を支持し、一対の挟み体１，２が接離する方向で、各挟み体１，２に対してマーキング手段３を相対的に変位させる移動手段４と、一対の挟み体１，２が接離する方向に沿って、第２挟み体２及びマーキング手段３を案内する案内手段５とを備える。また、樹木径測定器は、測定結果を記録する記録手段６を備える。
【００１９】
第１挟み体１は、第２挟み体２とにより樹木Ｘを挟む挟み部１１と、測定者が把持するための把持部１２とを備える。そして、挟み部１１は、板状に形成されると共に、把持部１２は、円柱状に形成される。なお、挟み部１１及び把持部１２は、直線状に配置され、端部同士で連結されている。
【００２０】
第２挟み体２は、第１挟み体１の挟み部１１とにより樹木Ｘを挟む挟み部２１と、測定者が把持するための把持部２２とを備える。また、第２挟み体２は、第１挟み体１と接離する（相対的に変位する）方向に沿って、案内手段５に案内される被案内部２３を備える。
【００２１】
挟み部２１は、板状に形成されると共に、把持部２２は、円柱状に形成される。そして挟み部２１及び把持部２２は、直線状に配置され、端部同士で連結されている。なお、一対の挟み体１，２は、長手方向が平行となるように配置され、長手方向と直交する方向で接離可能に構成されている。
【００２２】
被案内部２３は、案内手段５を外嵌すべく、凹状に形成される。そして、被案内部２３は、案内手段５から抜け出す（分離する）のを防止すべく、案内手段５を係止する凸状の抜け止め部２３ａを備える。具体的には、被案内部２３は、略Ｃ字状の断面形状に形成されている。
【００２３】
マーキング手段３は、測定した樹木Ｘをマーキングするための一対のチョーク（マーキング部材）３１，３１と、チョーク３１を内部に収容する収容部３２と、収容部３２を支持する支持体３３とを備える。そして、マーキング手段３は、収容部３２から各チョーク３１を繰り出すための繰出手段３４を備える。なお、本実施形態においては、一対のチョーク３１，３１は、それぞれ異なる色としている。
【００２４】
収容部３２は、一対のチョーク３１，３１を直線状に配置すべく、円筒状に形成され、各端部からチョーク３１を繰り出すように構成される。そして、収容部３２は、一方のチョーク３１の先端を樹木Ｘと対向させるべく、長手方向（軸心方向）が各挟み体１，２の長手方向と平行となるように位置決め可能に構成されると共に、他方のチョーク３１の先端も樹木Ｘと対向可能にさせるべく、各チョーク３１の配置を切り替え可能に構成される。
【００２５】
具体的には、収容部３２は、上下方向（収容部３２の軸心と直交する方向）を中心に回転すべく、支持体３３に枢着されるための軸体３２ａと、支持体３３に向けて付勢されるべく、軸体３２ａに外嵌される付勢体３２ｂと、所定位置で位置決めされるべく、支持体３３に係合される凸状の被係合部３２ｃとを備える。
【００２６】
支持体３３は、収容部３２の凸状の被係合部３２ｃを係合する凹状の係合部３３ａを備える。そして、支持体３３は、案内手段５を外嵌するように凹状に形成され、案内手段５に案内される被案内部３３ｂと、案内手段５から抜け出す（分離する）のを防止すべく、案内手段５を係止する凸状の抜け止め部３３ｃとを備える。具体的には、支持体３３は、開口が端部に向けて小さくなるように凹状に形成されることにより、被案内部３３ｂ及び抜け止め部３３ｃを形成する。
【００２７】
繰出手段３４は、収容部３２の内部に配置され、チョーク３１を外方に向けて付勢する付勢体３４ａと、収容部３２の各端部と螺合し、チョーク３１を保持する保持部３４ｂとを備える。そして、保持部３４ｂは、収容部３２の各端部がチョーク３１を径方向の内向きに押圧することでチョーク３１を保持すべく、収容部３２の各端部と螺合することに伴い、収容部３２の各端部を縮径可能に構成される。
【００２８】
移動手段４は、一対の挟み体１，２が接離するのに伴い、マーキング手段３を各挟み体１，２に対して相対的に変位すべく、一対の弾性体４１，４１を備える。そして、各弾性体４１は、一対の挟み体１，２が接離する方向に沿って伸縮可能に配置される。また、一方の弾性体４１は、第１挟み体１とマーキング手段３とを接続すると共に、他方の弾性体４１は、第２挟み体２とマーキング手段３とを接続する。
【００２９】
具体的には、一方の弾性体４１は、案内手段５の下方側に配置され、第１挟み体１に設けられる凸状の接続部１３とマーキング手段３の支持体３３とを接続すると共に、他方の弾性体４１は、案内手段５の下方側に配置され、第２挟み部２に設けられる凸状の接続部２４とマーキング手段３の支持体３３とを接続する。これより、各弾性体４１は、各挟み体１，２とマーキング手段３とを接近させるように弾性力が働いている。なお、各弾性体４１は、同一構成、即ち、同じ伸縮率（ばね定数）を有している。
【００３０】
案内手段５は、一対の挟み体１，２が接離する方向に沿って、第２挟み体２の被案内部２３を案内する第１案内部５１を備える。また、案内手段５は、一対の挟み体１，２が接離する方向に沿って、支持体３３の被案内部３３ｂを案内する第２案内部５２を備える。
【００３１】
第１案内部５１は、長尺な板状に形成され、長手方向の端部が第１挟み体１の挟み部１１に連結され、長手方向が第１挟み体１の長手方向と直交するように配置される。そして、第１案内部５１は、第２挟み体２の被案内部２３に外嵌されているため、第２挟み体２を第２挟み体２の長手方向と直交する方向（幅方向）に沿って案内する。
【００３２】
第２案内部５２は、第１案内部５１から下方に向けて突出し且つ第１案内部５１の長手方向に沿って配置される。また、第２案内部５２は、下方に向けて幅寸法が大きくなるように形成される。そして、第２案内部５２は、支持体３３の被案内部３３ｂに外嵌されているため、支持体３３を各挟み体１，２の長手方向と直交する方向（幅方向）に沿って案内する。
【００３３】
記録手段６は、測定対象の樹木Ｘの所有者を区分するための所有者区分ボタン６１，…と、測定対象の樹木Ｘの種類を区分するための樹種区分ボタン６２，…と、測定手段（採番及び図示しない）を介して、樹木Ｘの径の測定を行うための測定ボタン６３と、各データを表示する表示部６４と、各データを記録するための記録ボタン６５とを備える。また、記録手段６は、メモリカード（採番及び図示しない）に各データを記録すべく、メモリカードを着脱可能に構成されている。
【００３４】
以上より、本実施形態に係る樹木径測定器は、一対の挟み体１，２が接離する方向において、マーキング手段３が各挟み体１，２に対して相対的に変位するため、測定する樹木Ｘに対応して、マーキング手段３を位置決めできる。したがって、測定する樹木Ｘの大きさに関わらず、マーキング手段３が樹木Ｘに対して適切な位置に配置できる。
【００３５】
また、本実施形態に係る樹木径測定器は、各挟み体１，２とマーキング手段３とを接続する各弾性体４１が、一対の挟み体１，２が接離する方向に沿って伸縮するため、一対の挟み体１，２が接離するのに伴い、マーキング手段３を各挟み体１，２に対して相対的に変位できる。しかも、一対の挟み体１，２を操作することにより、マーキング手段３を個別に操作することなく、マーキング手段３を一対の挟み体１，２の間で位置決めさせることもできる。
【００３６】
具体的には、図４（ａ）及び（ｂ）に示すように、第２挟み体２が第１挟み体１から離反するよう（Ｃ矢印方向）に移動すると、各弾性体４１が伸びるため、マーキング手段３が第１挟み体１から離反するよう（Ｄ矢印方向）に移動する。そして、各弾性体４１の伸びる量が等しいため、マーキング手段３は、第２挟み体２が移動する距離の半分の距離を移動することになる。
【００３７】
このとき、マーキング手段３は、第２挟み体２から離反する距離と同じ距離を、第１挟み体１からも離反している。したがって、マーキング手段３は、一対の挟み体１，２が接離するのに伴って、各挟み体１，２に対して相対的に変位し、しかも、常に、一対の挟み体１，２の略中間に配置されることになる。
【００３８】
また、本実施形態に係る樹木径測定器は、収容部３２が軸体３２ａを介して支持体３３に枢着されているため、一対のチョーク３１，３１の先端をそれぞれ樹木Ｘと対向させるべく、各チョーク３１の配置を切り替えることができる。
【００３９】
具体的には、図５（ａ）を示すように、付勢体３２ｂに抗して、収容部３２を下方（Ｅ矢印方向）に向けて引くことにより、収容部３２を支持体３３から離反させる。これにより、収容部３２の被係合部３２ｃと支持体３３の係合部３３ａとの係合が解除されるため、その状態を維持しつつ、図５（ｂ）に示すように、収容部３２を軸体３２ａ周り（Ｆ矢印方向）に回動する。
【００４０】
そして、収容部３２を離すと、付勢体３２ｂにより、収容部３２が支持体３３に接近し、さらに、収容部３２の被係合部３２ｃが支持体３３の係合部３３ａに係合される。このように、一方のチョーク３１の先端が樹木Ｘに対向する状態から、他方のチョーク３１の先端が樹木Ｘに対向する状態に切り替えることができる。
【００４１】
次に、本発明に係る樹木径測定器における第２の実施形態について、図６〜図１０を参酌して説明する。なお、図６〜図１０において、図１〜図５の符号と同一の符号を付した部分は、第１実施形態と同一の構成又は要素を表す。
【００４２】
本実施形態に係る樹木径測定器は、図６〜図９に示すように、樹木Ｘを挟むことにより樹木Ｘの径を測定すべく、接離可能な第１及び第２挟み体１，２０と、樹木Ｘにマーキングするためのマーキング手段３０と、マーキング手段３０を支持し、一対の挟み体１，２０が接離する方向で、各挟み体１，２０に対してマーキング手段３０を相対的に変位させる移動手段４０と、第２挟み体２０及びマーキング手段３０を案内する案内手段５０と、測定結果を記録する記録手段６とを備える。
【００４３】
第２挟み体２０は、挟み体１の挟み部１１とにより、樹木Ｘを挟む挟み部２１と、測定者が把持するための把持部２２と、第１挟み体１と相対的に変位する方向に沿って、案内手段５０に案内される被案内部２５とを備える。そして、被案内部２５は、案内手段５０を外嵌すべく、凹状に形成されると共に、案内手段５０から抜け出すのを防止すべく、案内手段５０を係止する凸状の抜け止め部２５ａが設けられている。
【００４４】
マーキング手段３０は、一対のチョーク３１，３１を内部に収容する収容部３５と、収容部３５を支持する支持体３６と、収容部３５から各チョーク３１を繰り出すための繰出手段３４とを備える。
【００４５】
収容部３５は、上下方向を中心に回転すべく、支持体３６に挿通されて枢着される。そして、収容部３５は、所定位置で位置決めされるべく、支持体３６に係合される凸状の被係合部３５ａを備える。なお、収容部３５は、各チョーク３１の先端をそれぞれ樹木Ｘと対向させるべく、各挟み体１，２０と平行となるように位置決め可能に構成されると共に、各チョーク３１の配置を切り替え可能に構成される。
【００４６】
支持体３６は、収容部３５の凸状の被係合部３５ａを係合する凹状の係合部３６ａと、収容部３５を枢着するための軸体３６ｂと、接近する方向（上方向）に向けて収容部３５を付勢すべく、軸体３６ｂに外嵌される付勢体３６ｃとを備える。また、支持体３６は、移動手段４０に連結する連結部３６ｄを備える。
【００４７】
移動手段４０は、第１挟み体１と一体的に形成される固定ラック４２と、各挟み体１，２及び固定ラック４２に対して相対的に変位可能な可動ラック４３と、第２挟み体２と意一体的に形成され、一対の挟み体１，２が接離するのに伴い、可動ラック４３を各挟み体１，２及び固定ラック４２に対して相対的に変位させるべく、各ラック４２，４３と噛合する歯車機構４４とを備える。
【００４８】
固定ラック４２は、各挟み体１，２０の長手方向と直交する方向に沿って配置され、第１挟み体１に固定される。そして、固定ラック４２は、案内手段５０の内部であって、可動ラック４３と対向する側（内方側）に噛合部（ギア歯）が設けられている。なお、固定ラック４２は、上面や、噛合部が設けられていない外方側が案内手段５０として機能することになる。
【００４９】
可動ラック４３は、案内手段５０に収容され、各挟み体１，２０の長手方向と直交する方向に沿って配置される。即ち、可動ラック４３は、固定ラック４２と離間して平行に配置される。そして、可動ラック４３は、固定ラック４２と対向する側（内方側）に噛合部（ギア歯）が設けられている。また、可動ラック４３は、下方側で支持体３６（連結部３６ｄ）に連結されている。
【００５０】
歯車機構４４は、固定ラック４２と噛合する第１歯車４４ａと、第１歯車４４ａに並設され、第１歯車４４ａと噛合する第２歯車４４ｂと、第２歯車４４ｂと同軸上で一体的に回転し、可動ラック４３と噛合する第３歯車４４ｃとを備える。そして、歯車機構４４は、各ラック４２，４３間に配置される。
【００５１】
各歯車４４ａ，４４ｂ，４４ｃは、第２挟み体２に枢着されている。即ち、歯車機構４４は、第２挟み体２に固定されている。そして、第１歯車４４ａと第２歯車４４ｂとが噛合することにより、第１歯車４４ａと、第２歯車４４ｂ及び第３歯車４４ｃとは、反対方向に回転する。また、第３歯車４４ｃは、第２歯車４４ｂに対して、歯数が半分となるように形成されている。
【００５２】
案内手段５０は、一対の挟み体１，２０が接離する方向に沿って、第２挟み体２０の被案内部２５を案内する第１案内部５３と、一対の挟み体１，２０が接離する方向に沿って、移動手段４０の可動ラック４３を案内する第２案内部５４とを備える。また、案内手段５０は、支持体３６の連結部３６ｄに挿通されるべく、各挟み体１，２０の長手方向と直交する方向に沿って形成される挿通孔５５を備える。
【００５３】
第１案内部５３は、長尺に形成され、長手方向の端部が第１挟み体１の挟み部１１に連結され、長手方向が各挟み体１，２０の長手方向と直交するように配置される。そして、第１案内部５３は、第２挟み体２０の被案内部２５に外嵌されているため、第２挟み体２０を第２挟み体２０の長手方向と直交する方向（幅方向）に沿って案内する。
【００５４】
第２案内部５４は、各挟み体１，２０の長手方向と直交する方向に沿って配置される。そして、第２案内部５４は、可動ラック４３の外方側（噛合部が形成されていない側）を、各挟み体１，２０の長手方向と直交する方向に沿って案内する。
【００５５】
以上より、本実施形態に係る樹木径測定器は、一対の挟み体１，２０が接離する方向において、マーキング手段３０が各挟み体１，２０に対して相対的に変位するため、測定する樹木Ｘに対応して、マーキング手段３０を位置決めできる。したがって、測定する樹木Ｘの大きさに関わらず、マーキング手段３０が樹木Ｘに対して適切な位置に配置できる。
【００５６】
また、本実施形態に係る樹木径測定器は、第２挟み体２０に固定（枢着）される歯車機構４４が、第１挟み体１に固定される固定ラック４２と噛合すると共に、各挟み体１，２０に対して相対的に変位可能な可動ラック４３と噛合する構成である。これにより、一対の挟み体１，２０が接離するのに伴い、歯車機構４４が回転するため、可動ラック４３が各挟み体１，２０に対して相対的に変位する。
【００５７】
したがって、可動ラック４３に連結されるマーキング手段３０は、一対の挟み体１，２０が接離するのに伴い、各挟み体１，２０に対して相対的に変位することができる。しかも、一対の挟み体１，２０を操作することにより、マーキング手段３０を個別に操作することなく、マーキング手段３０を一対の挟み体１，２０の間で位置決めさせることもできる。
【００５８】
具体的には、図１０（ａ）及び（ｂ）に示すように、第２挟み体２０が第１挟み体１から離反するよう（Ｋ矢印方向）に移動すると、第１歯車４４ａが固定ラック４２と噛合し、上下方向を中心（Ｌ矢印方向）に回転する。そして、第２歯車４４ｂ（図１０において図示していない）が第１歯車４４ａと噛合するため、第１歯車４４ａと反対方向（Ｍ矢印方向）に回転すると共に、第３歯車４４ｃも第２歯車４４ｂと一体的になって回転する。
【００５９】
これにより、可動ラック４３が第３歯車４４ｃと噛合するため、第２挟み体２０が移動する方向と反対方向（Ｎ矢印方向）に移動する。このとき、第３歯車４４ｃが第２歯車４４ｂに対して半数の歯数であるため、可動ラック４３が第２挟み体２０から離反する距離は、第２挟み体２０が第１挟み体１から離反する距離の半分である。なお、可動ラック４３は、第１挟み体１に対しても、同じ距離を離反している。
【００６０】
したがって、可動ラック４３は、一対の挟み体１，２０が離反（接近）するのに伴って、一対の挟み体１，２０が離反（接近）する距離に対して、半分の距離を、各挟み体１，２０から離反（接近）する。これにより、可動ラック４３に連結されるマーキング手段３０は、一対の挟み体１，２０が接離するのに伴って、各挟み体１，２０に対して相対的に変位し、しかも、常に、一対の挟み体１，２０の略中間に配置されることになる。
【００６１】
なお、本発明に係る樹木径測定器は、上記した実施の形態に限定されるものではなく、本発明の要旨を逸脱しない範囲内において種々変更を加え得ることは勿論である。また、上記した複数の実施形態の構成や方法等を任意に採用してもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６２】
例えば、上記実施形態に係る樹木径測定器においては、チョーク３１により樹木Ｘにマーキングする場合、即ち、マーキング部材３１がチョーク３１である場合を説明したが、斯かる場合に限られない。例えば、マーキング部材は、インク等を噴霧するスプレーである場合でもよく、また、インク等で捺印するスタンプである場合でもよい。
【００６３】
また、上記実施形態に係る樹木径測定器においては、マーキング手段３（３０）がチョーク３１を二つ備える場合を説明したが、斯かる場合に限られない。例えば、マーキング手段がチョーク３１を一つ備える場合でもよく、また、チョーク３１を三つ以上備え、それぞれ切り替え可能に構成される場合でもよい。
【００６４】
また、上記実施形態に係る樹木径測定器においては、移動手段４（４０）は、一対の挟み体１，２（２０）が接離するのに伴って、マーキング手段３（３０）を各挟み体１，２（２０）に対して相対的に変位する場合を説明したが、斯かる場合に限られない。例えば、移動手段は、各挟み体を接離する操作とは別に、マーキング手段を各挟み体に対して相対的に変位させる操作を行うような構成である場合でもよい。
【００６５】
また、上記実施形態に係る樹木径測定器においては、移動手段４（４０）は、マーキング手段３（３０）を各挟み体１，２（２０）に対して相対的に変位させる場合を説明したが、斯かる場合に限られない。例えば、移動手段は、マーキング手段を一方の挟み体に対してのみ相対的に変位させる場合、即ち、他方の挟み体と一体的に形成される（他方の挟み体に固定される）場合でもよい。
【００６６】
また、第１実施形態に係る樹木径測定器においては、各挟み体１，２とマーキング手段３とをそれぞれ一つの弾性体４１で接続する場合を説明したが、斯かる場合に限られない。例えば、並設される複数の弾性体４１，…で、各挟み体１，２とマーキング手段３とを接続する場合でもよい。要するに、弾性体４１は、一対の挟み体１，２が接離する方向に伸縮するように配置されていればよい。
【００６７】
また、第２実施形態に係る樹木径測定器においては、固定ラック４２が第１挟み体１に固定され、歯車機構４４（各歯車４４ａ，４４ｂ，４４ｃ）が第２挟み体２０に固定（枢着）される場合を説明したが、斯かる場合に限られない。例えば、固定ラックが第２挟み体に固定され、歯車機構が第１挟み体に枢着（固定）される場合でもよい。即ち、固定ラックが第２挟み体と一体的に形成され、歯車機構が第１挟み体と一体的に形成される場合でもよい。
【００６８】
また、第２実施形態に係る樹木径測定器においては、歯車機構４４が三つの歯車４４ａ，４４ｂ，４４ｃを備える場合を説明したが、斯かる場合に限られない。例えば、歯車機構が歯車を一つ、二つ又は四つ以上備える場合でもよい。
【符号の説明】
【００６９】
１…（第１）挟み体、２，２０…（第２）挟み体、３，３０…マーキング手段、４１…弾性体、４２…固定ラック、４３…可動ラック、４４…歯車機構、Ｘ…樹木
【図１】
2010243383.tif 000003
【図２】
2010243383.tif 000004
【図３】
2010243383.tif 000005
【図４】
2010243383.tif 000006
【図５】
2010243383.tif 000007
【図６】
2010243383.tif 000008
【図７】
2010243383.tif 000009
【図８】
2010243383.tif 000010
【図９】
2010243383.tif 000011
【図１０】
2010243383.tif 000012